【事件の表示】
　特願２００２−３２８３３０「記録装置および方法、記録媒体、並びにプログラム」拒絶査定不服審判事件〔平成１６年　６月１０日出願公開、特開２００４−１６４７３１〕について、次のとおり審決する。
【結　論】
　本件審判の請求は、成り立たない。
【理　由】
第１　手続の経緯
　
　本願は、平成１４年１１月１２日に出願したものであって、平成１８年６月２３日付けの拒絶理由通知に対する応答期間内の平成１８年８月２８日付けで手続補正がなされたが、平成１８年９月２０日付けで拒絶査定がなされ、これに対し、平成１８年１０月２５日付けで拒絶査定不服審判が請求されるとともに、平成１８年１１月２４日付けで手続補正がなされたものである。
　そして、当審より、平成２０年８月１２日付けで審尋がなされ、平成２０年１０月３日付けで回答書が提出されたものである。
　
第２　平成１８年１１月２４日付けの手続補正についての補正却下の決定
　
［補正却下の決定の結論］
　平成１８年１１月２４日付けの手続補正を却下する。
　
［理由］
１．本件補正
　平成１８年１１月２４日付けの手続補正（以下「本件補正」という。）は、明細書の特許請求の範囲については、本件補正前（平成１８年８月２８日付け手続補正書参照）に、
「【請求項１】　入力された１フレームの大きさが可変長であるビデオデータを、少なくとも所定数のフレームと前記フレームに関連する補助データからなる編集単位データ毎に記憶媒体に記憶する記憶手段と、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、その先頭の位置を示す情報を含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行する第１の登録手段と、
　前記誤り訂正処理が施された、前記ヘッダに前記繋ぎ記録の開始可能点情報が登録された前記ビデオデータを、磁気テープに記録する記録手段と
　を備え、
　前記第１の登録手段は、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する
　ことを特徴とする記録装置。
　【請求項２】　前記記録手段により前記磁気テープに記録された、所定の前記ビデオデータを、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始点を検出する検出手段をさらに備え、前記記憶手段は、前記検出手段により検出された前記繋ぎ記録の開始点に繋げて、入力されたビデオデータを、前記編集単位データ毎に前記記憶媒体に記憶し、
　前記記録手段は、前記記憶媒体に記憶された、前記繋ぎ記録の開始点から繋がれた前記ビデオデータを、前記磁気テープに記録する
　ことを特徴とする請求項１に記載の記録装置。
　【請求項３】　記録を一時的に停止する指令に応じて、前記記憶手段による前記記憶媒体への記憶と、前記第１の登録手段による前記繋ぎ記録の開始可能点情報の登録と、前記記録手段による前記磁気テープへの記録とが停止されたとき、前記記憶媒体に記憶されている、前記磁気テープに記録されなかった所定の前記編集単位データの先頭に対応する前記ヘッダに、記録終了点情報を登録する第２の登録手段をさらに備え、
　前記記憶手段は、前記記録終了点情報を参照して、繋ぎ記録の開始点を検出するとともに、検出した前記繋ぎ記録の開始点に繋げて、入力されたビデオデータを、前記編集単位データ毎に前記記憶媒体に記憶する
　ことを特徴とする請求項１に記載の記録装置。
　【請求項４】　前記ヘッダには、記録の連続性に必要なパラメータが格納されており、
　前記第２の登録手段は、前記パラメータを、前記記録終了点からの繋ぎ記録において前記記録の連続性が確保されるように変更する
　ことを特徴とする請求項３に記載の記録装置。
　【請求項５】　入力された１フレームの大きさが可変長であるビデオデータを、少なくとも所定数のフレームと前記フレームに関連する補助データからなる編集単位データ毎に記憶媒体に記憶する記憶ステップと、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、その先頭の位置を示す情報を含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行する登録ステップと、
　前記誤り訂正処理が施された、前記ヘッダに前記繋ぎ記録の開始可能点情報が登録された前記ビデオデータを、磁気テープに記録する記録ステップと
　を含み、
　前記登録ステップは、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する
　ことを特徴とする記録方法。
　【請求項６】　入力された１フレームの大きさが可変長であるビデオデータを、少なくとも所定数のフレームと前記フレームに関連する補助データからなる編集単位データ毎に記憶媒体に記憶する記憶ステップと、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、その先頭の位置を示す情報を含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行する登録ステップと、
　前記誤り訂正処理が施された、前記ヘッダに前記繋ぎ記録の開始可能点情報が登録された前記ビデオデータを、磁気テープに記録する記録ステップと
　を含み、
　前記登録ステップは、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する
　ことを特徴とするコンピュータが読み取り可能なプログラムが記録されている記録媒体。
　【請求項７】　入力された１フレームの大きさが可変長であるビデオデータを、少なくとも所定数のフレームと前記フレームに関連する補助データからなる編集単位データ毎に記憶媒体に記憶する記憶ステップと、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、その先頭の位置を示す情報を含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行する登録ステップと、
　前記誤り訂正処理が施された、前記ヘッダに前記繋ぎ記録の開始可能点情報が登録された前記ビデオデータを、磁気テープに記録する記録ステップと
　を含み、
　前記登録ステップは、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する
　処理をコンピュータに実行させることを特徴とするプログラム。」
　とあったところを、
　
本件補正後、
「【請求項１】　入力された１フレームの大きさが可変長であるビデオデータを、少なくとも所定数のフレームと前記フレームに関連する補助データからなる編集単位データ毎に記憶媒体に記憶し、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、磁気テープの絶対位置から検出される情報からクロック数を基に算出することができる復号タイムスタンプを含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行し、
　前記誤り訂正処理が施された、前記ヘッダに前記繋ぎ記録の開始可能点情報が登録された前記ビデオデータを、磁気テープに記録し、
　前記磁気テープに記録された前記ビデオデータに繋ぎ記録を行う記録装置において、
　繋ぎ記録が行われる際、前記磁気テープに記録された、所定の前記ビデオデータを読み出して、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始可能点を検出する検出手段と、
　繋ぎ記録を開始したい画像の復号タイムスタンプと、読み出した前記誤り訂正処理単位データのヘッダに設定されている前記繋ぎ記録の開始可能点情報に含まれる復号タイムスタンプの差が所定の大きさより小さい場合、前記検出手段により検出された前記繋ぎ記録の開始可能点に対応する開始位置に繋げて、繋ぎ記録を開始したい画像である入力されたビデオデータを、前記編集単位データ毎に前記記憶媒体に記憶する記憶手段と、
　前記記憶媒体に記憶された、前記繋ぎ記録の開始位置から繋がれた前記ビデオデータを、
前記磁気テープに記録する記録手段と
　を備えることを特徴とする記録装置。
　【請求項２】　前記記憶媒体に記憶されているビデオデータを、前記誤り訂正処理単位データ毎に参照して、前記登録処理を繰り返し、前記誤り訂正処理単位データのヘッダに前記繋ぎ記録の開始可能点情報を登録する
　ことを特徴とする請求項１に記載の記録装置。
　【請求項３】　記録を一時的に停止する指令に応じて、前記ビデオデータの前記記憶媒体への記憶と、前記登録処理による前記繋ぎ記録の開始可能点情報の登録と、前記ビデオデータの前記磁気テープへの記録とが停止したとき、前記記憶媒体に記憶されている、前記磁気テープに記録されなかった所定の前記編集単位データの先頭に対応する前記ヘッダに、記録終了点情報を登録し、
　前記検出手段は、前記記録終了点情報を参照して、繋ぎ記録の開始点を検出する
　ことを特徴とする請求項１に記載の記録装置。
　【請求項４】　前記ヘッダには、記録の連続性に必要なパラメータが格納されており、
　前記パラメータは、前記記録終了点からの繋ぎ記録において前記記録の連続性が確保されるように変更される
　ことを特徴とする請求項３に記載の記録装置。
　【請求項５】　入力された１フレームの大きさが可変長であるビデオデータを、少なくとも所定数のフレームと前記フレームに関連する補助データからなる編集単位データ毎に記憶媒体に記憶し、
　前記記憶媒体に記憶されたビデオデータの誤り訂正処理の誤り訂正処理単位データ毎に、前記編集単位データの先頭が含まれているか否かを判定し、前記編集単位データの先頭が１個以上含まれていると判定した場合、磁気テープの絶対位置から検出される情報からクロック数を基に算出することができる復号タイムスタンプを含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行し、
　前記誤り訂正処理が施された、前記ヘッダに前記繋ぎ記録の開始可能点情報が登録された前記ビデオデータを、磁気テープに記録し、
　前記磁気テープに記録された前記ビデオデータに繋ぎ記録を行う記録方法において、
　繋ぎ記録が行われる際、前記磁気テープに記録された、所定の前記ビデオデータを読み出して、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始可能点を検出する検出ステップと、
　繋ぎ記録を開始したい画像の復号タイムスタンプと、読み出した前記誤り訂正処理単位データのヘッダに設定されている前記繋ぎ記録の開始可能点情報に含まれる復号タイムスタンプの差が所定の大きさより小さい場合、前記検出ステップの処理で検出された前記繋ぎ記録の開始可能点に対応する開始位置に繋げて、繋ぎ記録を開始したい画像である入力されたビデオデータを、前記編集単位データ毎に前記記憶媒体に記憶する記憶ステップと、
　前記記憶媒体に記憶された、前記繋ぎ記録の開始位置から繋がれた前記ビデオデータを、
前記磁気テープに記録する記録ステップと
　を含むことを特徴とする記録方法。
　【請求項６】　入力された１フレームの大きさが可変長であるビデオデータを、少なくとも所定数のフレームと前記フレームに関連する補助データからなる編集単位データ毎に記憶媒体に記憶し、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、磁気テープの絶対位置から検出される情報からクロック数を基に算出することができる復号タイムスタンプを含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行し、
　前記誤り訂正処理が施された、前記ヘッダに前記繋ぎ記録の開始可能点情報が登録された前記ビデオデータを、磁気テープに記録し、
　前記磁気テープに記録された前記ビデオデータに繋ぎ記録を行う記録処理をコンピュータに実行させるプログラムにおいて、
　繋ぎ記録が行われる際、前記磁気テープに記録された、所定の前記ビデオデータを読み出して、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始可能点を検出する検出ステップと、
　繋ぎ記録を開始したい画像の復号タイムスタンプと、読み出した前記誤り訂正処理単位データのヘッダに設定されている前記繋ぎ記録の開始可能点情報に含まれる復号タイムスタンプの差が所定の大きさより小さい場合、前記検出ステップの処理で検出された前記繋ぎ記録の開始可能点に対応する開始位置に繋げて、繋ぎ記録を開始したい画像である入力されたビデオデータを、前記編集単位データ毎に前記記憶媒体に記憶する記憶ステップと、
　前記記憶媒体に記憶された、前記繋ぎ記録の開始位置から繋がれた前記ビデオデータを、
前記磁気テープに記録する記録ステップと
　を含む記録処理をコンピュータに実行させるプログラム。
　【請求項７】　入力された１フレームの大きさが可変長であるビデオデータを、少なくとも所定数のフレームと前記フレームに関連する補助データからなる編集単位データ毎に記憶媒体に記憶し、
　前記記憶手段に記憶されたビデオデータの誤り訂正処理の誤り訂正処理単位データ毎に、前記編集単位データの先頭が含まれているか否かを判定し、前記編集単位データの先頭が１個以上含まれていると判定した場合、磁気テープの絶対位置から検出される情報からクロック数を基に算出することができる復号タイムスタンプを含む情報を、繋ぎ記録の開始可能点情報として、前記誤り訂正処理単位データのヘッダに登録するとともに、前記編集単位データの先頭が含まれていないと判定した場合、繋ぎ記録の開始可能点が含まれていないことを示す情報を、繋ぎ記録の開始可能点情報として、前記誤り訂正処理単位データのヘッダに登録する登録処理を実行し、
　前記誤り訂正処理が施された、前記ヘッダに前記繋ぎ記録の開始可能点情報が登録された前記ビデオデータを磁気テープに記録し、
　前記磁気テープに記録された前記ビデオデータに繋ぎ記録を行う記録処理をコンピュータに実行させるプログラムにおいて、
　繋ぎ記録が行われる際、前記磁気テープに記録された、所定の前記ビデオデータを読み出して、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始可能点を検出する検出ステップと、
　繋ぎ記録を開始したい画像の復号タイムスタンプと、読み出した前記誤り訂正処理単位データのヘッダに設定されている前記繋ぎ記録の開始可能点情報に含まれる復号タイムスタンプの差が所定の大きさより小さい場合、前記検出ステップの処理で検出された前記繋ぎ記録の開始可能点に対応する開始位置に繋げて、繋ぎ記録を開始したい画像である入力されたビデオデータを、前記編集単位データ毎に前記記憶媒体に記憶する記憶ステップと、
　前記記憶媒体に記憶された、前記繋ぎ記録の開始位置から繋がれた前記ビデオデータを、
前記磁気テープに記録する記録ステップと
　を含むコンピュータが読み取り可能なプログラムが記録されている記録媒体。」
　と補正しようとするものである。
　
２．補正の適否
　
　本件補正前の独立請求項である請求項１，５，６，７において、発明を特定するための事項である（１）「繋ぎ記録の開始可能点情報」について、
「その先頭の位置を示す情報を含む情報」
　とあったところを、本件補正では、
「磁気テープの絶対位置から検出される情報からクロック数を基に算出することができる復号タイムスタンプを含む情報」と
及び（２）「前記第１の登録手段は、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する」を「前記磁気テープに記録された前記ビデオデータに繋ぎ記録を行う記録装置において、繋ぎ記録が行われる際、前記磁気テープに記録された、所定の前記ビデオデータを読み出して、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始可能点を検出する検出手段と、繋ぎ記録を開始したい画像の復号タイムスタンプと、読み出した前記誤り訂正処理単位データのヘッダに設定されている前記繋ぎ記録の開始可能点情報に含まれる復号タイムスタンプの差が所定の大きさより小さい場合、前記検出手段により検出された前記繋ぎ記録の開始可能点に対応する開始位置に繋げて、繋ぎ記録を開始したい画像である入力されたビデオデータを、前記編集単位データ毎に前記記憶媒体に記憶する記憶手段と、前記記憶媒体に記憶された、前記繋ぎ記録の開始位置から繋がれた前記ビデオデータを、前記磁気テープに記録する記録手段」とするものである。
　
　そこで、上記（１）の補正に関して願書に最初に添付した明細書又は図面（以下「当初明細書等」という。）をみると、繋ぎ記録の開始可能点情報の登録に関しては、
「【００３７】ステップＳ１２において、制御部１２は、ステップＳ１１で参照したＥＣＣバンクに、繋ぎ記録の開始点となり得るパックの先頭が含まれていることを、ＥＣＣバンクのＥＣＣＴＢに登録する。具体的には、ＡＵＸ−Ｖが対応するピクチャ（ＩピクチャまたはＰピクチャ）を表すＤＡＴＡ−Ｈ、および
パックの先頭位置（ＡＵＸ−Ａが配置されているトラック番号）、並びにＡＵＸ−Ｖに含まれているＤＴＳ（Decoding Time Stamp）、vbv delay、およびcontinuity counterが、図５に示すように、ＥＣＣＴＢのeditable header mapに設定
【００３８】
このように所定のデータがＥＣＣＴＢのeditable header mapに設定されることで、繋ぎ記録の開始可能点が登録される
と、ＡＵＸ−Ｖに含まれているＤＴＳ（復号タイムスタンプ）を繋ぎ記録の開始可能点情報として登録することは開示されているが、「磁気テープの絶対位置から検出される情報からクロック数を基に算出することができる復号タイムスタンプ」を繋ぎ記録の開始可能点情報として登録することは開示されていないし、示唆もされていない。
　また、段落【００４７】には、繋ぎ記録時、繋ぎ記録の開始位置を取得し、取得した絶対位置からＤＴＳ（復号タイムスタンプ）を算出することは記載されているが、当該ＤＴＳは登録時の繋ぎ記録の開始可能点情報ではない。
　
　結局、本件補正は、当初明細書等に記載した事項の範囲内においてなされたものではない。
　
３．本件補正についてのむすび
　
　したがって、本件補正は、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３　本願発明について
　
１．本願発明
　
　平成１８年１１月２４日付けの手続補正は、上記第２で検討したように却下されたので、本願請求項１乃至７に係る発明は、平成１８年８月２８日付け手続補正によって補正された明細書の特許請求の範囲の請求項１乃至７に記載された事項により特定されるものと認められるところ、請求項１に係る発明（以下「本願発明」という。）は、上記「第２［理由］１．」の本件補正前の請求項１に記載されたとおりである。
　
２．引用例
　
　これに対し、原査定の拒絶の理由に引用された特開２００１−２９１３３５号公報（平成１３年１０月１９日公開、以下「引用例」という。）には、磁気テープ記録装置に関し、図面と共に、以下の記載がある。（なお、下線は当審で付与した。）
　
（１）「【０００１】
【発明の属する技術分野】本発明は、
磁気テープ記録装置
　
（２）「【００３０】
【発明の実施の形態】図２は、本発明を適用した磁気テープ記録再生装置の記録系の構成例を表している。映像データ圧縮部１は、入力されたHD映像信号を、MP@HLあるいはMP@H-14などのMPEG方式で圧縮される。
【００３１】音声データ圧縮部２は、HD映像信号に対応する音声信号を、例えば、MPEG1 layer2あるいはＡＡＣに準拠した方式などの音声圧縮を行う。これにより、音声信号は、２５６Kbps乃至３８４Kbpsに圧縮される。
【００３２】端子３には、AUX（補助）データや、サブコードデータなどで構成されるシステムデータが、コントローラ１３から入力される。システムデータとは、映像、音声の付加データとして外部から入力された著作権、撮影状況等のテキスト情報、サーチや編集等を補助するタイトルタイムコード（TTC）、トラック位置情報、装置の設定情報などを示すデータである。
【００３３】スイッチ４は、コントローラ１３により切り換えられ、映像データ圧縮部１の出力、音声データ圧縮部２の出力、または端子３から供給されるシステムデータを所定のタイミングで適宜選択し、誤り符号ID付加部５に供給する。
【００３４】誤り符号ＩＤ付加部５は、スイッチ４を介して入力されたデータに、誤り検出訂正符号やＩＤを付加したり、１６トラックの間でのインタリーブ処理を施し、２４−２５変換部６に供給する。
　
（３）「【００３８】変調部９は、スイッチ８を介して入力されたデータを、１または０が連続しないようにランダマイズするとともに、磁気テープ２１に記録するのに適した方式（DVフォーマットにおける場合と同一の方式）で変調し、パラレルシリアル（P/S）変換部１０に供給する。
【００３９】パラレルシリアル変換部１０は、入力されたデータを、パラレルデータからシリアルデータに変換する。
【００４０】増幅器１１は、パラレルシリアル変換部１０より入力されたデータを増幅し、回転ドラム（図示せず）に取り付けられ、回転される回転ヘッド１２に供給し、磁気テープ２１に記録させる。」
　
（４）「【００６１】ｂ7乃至ｂ5における値０は、メインデータが、
MPEG2に準拠したプログラムエレメンタリストリーム（PES）のフォーマットに準拠した映像データ（PES映像データ）
　
（５）「【００６８】メインセクタのメインデータは、映像データ圧縮部１より供給される映像データ、音声データ圧縮部２より供給される音声データ、若しくは端子３を介してコントローラ１３から供給されたAUXデータ（システムデータ）である。」
　
（６）「【００７１】また、この例の場合、複数のシステムデータをメインセクタに記録することもできる。この場合、システムデータが固定長であるときは、図１６（Ｂ）乃至（Ｄ）に示すように、また、可変長であるときは、図１７（Ｂ）乃至（Ｄ）に示すように、複数のヘッダ部が設けられる。」
　
（７）「【０１００】次に、図１４および図１５に示したシステムデータについて、詳細に説明する。
【０１０１】図１４には、上述したように、固定長のシステムデータが、キーワード番号とともに示されている。例えば、キーワード番号が４番のテープ位置情報（ATNF）は、２３ビットの絶対位置（ATN）、１ビットのブレークフラグ（Ｂフラグ）、および８ビットの編集情報からなる固定長のシステムデータである。
【０１０２】絶対位置（ATN）は、トラックの、テープ先頭からの距離（絶対位置）（Absolute Track number）を示す。
【０１０３】Ｂフラグは、絶対位置（例えば、番号）が連続しているときに”０”が立ち、連続していないときに”１”が立つフラグである。このことにより、記録が混在し、絶対位置が連続していない場合においても、単調増加の番号を付与することができるようになる。すなわち、番号戻りがないので、サーチを的確に行うことができる。
【０１０４】編集情報は、図２６に示すように、ｂ7乃至ｂ0の８ビットで構成されている。ｂ7には、Ｉフラグが配置されている。Ｉフラグは、サブコードセクタに対応するメインセクタに、サーチしたい場所を示す情報（記録時に指定されている場所を示す情報）が含まれているとき、”１”が立つフラグである。これにより、サーチ位置が検出される。
【０１０５】ｂ5には、Ｐフラグが配置されている。このＰフラグは、サブコードセクタに対応するメインセクタに、静止画の記録開始映像データが含まれている場合に、”１”が立つフラグである。これにより、静止画の記録位置が検出される。
【０１０６】ｂ４には、ＥＨフラグが配置されている。ＥＨフラグは、サブコードセクタに対応するメインセクタに、ＩピクチャまたはＰピクチャが記録されるいるとき、“１”が立つフラグである。通常、
繋ぎ撮り等の編集は、ＩピクチャやＰピクチャから開始される
　
（８）「【０１０８】以上に説明したシステムデータは、上述したように、メインセクタおよびサブコードセクタに、記録される。
【０１０９】次に、図１５に示す可変長のＡＵＸデータについて説明する。なお、このＡＵＸデータは、メインセクタにのみに記録される。
【０１１０】例えば、キーワード番号が、８０番の
ECCＴＢ（トラックブロック）は、図２８において○印で示されている。複数のＡＵＸデータを含むパケットであり、そこには、図１４に示される、固定長のＡＵＸデータ（データ位置情報（ＡＴＮＦ）、ＴＴＣなど）なども含まれている
【０１１１】次に、図２の装置の動作について説明する。ＨＤ映像信号は、サーチ用の映像データ（サムネイルの映像データ）とともに、映像データ圧縮部１に入力され、例えば、MP@HLまたはMP@H−１４方式で圧縮される。音声信号は、音声データ圧縮部２に入力され、圧縮される。端子３には、コントローラ１３から、サブコードデータ、ＡＵＸデータ、ヘッダなどが供給される。
【０１１２】スイッチ４は、コントローラ１３により制御され、映像データ圧縮部１より出力された映像データ（サーチ用の映像データを含む）、音声データ圧縮部２より出力された音声データ、あるいは、端子３から入力されたシステムデータを、所定のタイミングで取り込み、誤り符号ＩＤ付加部５に出力することでこれらのデータを合成する。
【０１１３】誤り符号ＩＤ付加部５は、メインセクタの図９に示す各シンクブロックに、２４ビットのＩＤを付加する。また、図９に示すパリティＣ１を、各シンクブロック毎に計算し、付加するとともに、１４１シンクブロックのうち最後の１８シンクブロックには、ＳＢヘッダとメインデータの代わりに、パリティＣ２を付加する。
【０１１４】また、誤り符号ＩＤ付加部５は、図２２に示すように、サブコードデータの各サブコードシンクブロック毎に、２４ビットのＩＤを付加するとともに、４０ビットのパリティを演算し、付加する。
【０１１５】
誤り符号ＩＤ付加部５は、さらに、メインセクタの１６トラック分のデータを保持し、それらのデータを１６トラックの間でインタリーブする
【０１１６】２４−２５変換部６は、誤り符号ＩＤ付加部５より供給された２４ビット単位のデータを、２５ビット単位のデータに変換する。これにより、図４乃至図６に示した、周波数ｆ１，ｆ２のトラッキングのパイロット信号の成分が強く出現するようになる。
【０１１７】シンク発生部７は、図９に示すように、メインセクタの各シンクブロックに、１６ビットのシンクを付加する。また、シンク発生部７は、図２２に示すように、サブコードセクタの各サブコードシンクブロックに、１６ビットのシンクを付加する。さらに、シンク発生部７は、図８に示すプリアンブルまたはポストアンブルのランパターンを発生する。
【０１１８】これらのデータの付加（合成）は、より具体的には、コントローラ１３が、スイッチ８を切り換え、シンク発生部７から出力されたデータと、２４−２５変換部６が出力したデータを、適宜選択して変調部９に供給するようにすることで行われる。
【０１１９】変調部９は、入力されたデータを、ランダマイズするとともに、ＤＶフォーマットに対応する方式で変調し、パラレルシリアル変換部１０に出力する。パラレルシリアル変換部１０は、入力されたデータをパラレルデータからシリアルデータに変換し、増幅器１１を介して、回転ヘッド１２に供給する。回転ヘッド１２は、
入力されたデータを磁気テープ２１に記録する
【０１２０】図３２は、以上のようにして処理された結果、磁気テープ２１に記録されている、GOP構造がＮ＝１５（１５ピクチャ毎にＩピクチャが配列される）、Ｍ＝３（３ピクチャ毎にＰピクチャが配置される）データの記録状態を示している。すなわち、
Ｍの値で示される数分のピクチャを１つの単位として、そのピクチャに関連するＡＵＸデータ（図中、Ｕで示されている部分）、そのピクチャに対応する音声データ（図中、Ｕで示されている部分）、そのピクチャに対応する音声データ（図中、Ａで示されている部分）、およびその音声データに関連するＡＵＸデータ（図中、Ｘで示されている部分）が、インタリーブされる１６トラックの先頭にまとめて配置されている。そして、その後に、１単位分のピクチャ（この例の場合、３ピクチャ）が配置されている
【０１２１】すなわち、可変長のＡＵＸデータを用意し、それをメインセクタに記録するようにしたので、このように
ＡＵＸデータを、所定の単位分のピクチャ毎にまとめて記録することができ、その結果、効率よくＡＵＸデータを記録することができる
　
（９）「【０１２７】また、
インタリーブされる１６トラックの先頭に、ＡＵＸデータとしてのECCＴＢ（図中、Ｈで示されている部分）を配置するようにしたので、例えば、繋ぎ撮りで行われるプリ再生時間を短くすることができる
【０１２８】図３４は、ピクチャに関連するＡＵＸデータ（Ｕ）と音声データに関するＡＵＸデータ（Ｘ）、ECCＴＢ、およびサブコードに含まれるデータをまとめたものである。」
　
　上記摘示事項及び図面（特に、図２８，３２）の記載を総合勘案すると、引用例には、次の発明（以下「引用発明」という。）が記載されているものと認める。
　
「MPEG２フォーマットに準拠した映像データを取り込み、Ｍ数分のピクチャ（３ピクチャ）を１単位として、そのピクチャに関連するAUXデータを先頭にまとめて配置し、その後に１単位分のピクチャを配置し、インタリーブされる１６トラック（ECCブロック）の先頭には繋ぎ撮り編集で参照する、AUXデータとしてのECCＴＢを配置して記録する磁気テープ記録装置において、
　ECCＴＢは、データ位置情報およびピクチャの種類を示すDATA-Hを含むパケットである
　磁気テープ記録装置。」
　
３．対比
　
　本願発明と引用発明とを対比する。
（１）引用発明の「映像データ」は、本願発明の「ビデオデータ」に相当し、そして、「MPEG２フォーマットに準拠した」ものであるから、１フレームの大きさが可変長であることは明らかである。また、引用発明は、ピクチャに関連するAUXデータ及びＭ数分のピクチャ（３ピクチャ）を１つの単位として処理するものであり、当該処理において記憶手段を用いることは当然である。
　そうすると、引用発明は、本願発明の「入力された１フレームの大きさが可変長であるビデオデータを、少なくとも所定数のフレームと前記フレームに関連する補助データからなる編集単位データ毎に記憶媒体に記憶する記憶手段」に相当する構成を備えている。
（２）引用発明の「インタリーブされる１６トラック（ECCブロック）」「繋ぎ撮り」及び「ECCＴＢ」は、それぞれ本願発明の「誤り訂正処理単位」「繋ぎ記録」及び「繋ぎ記録の開始可能点情報」に相当する。そして、引用発明の「ECCＴＢ」は、「ECCブロックの先頭」に配置され、「繋ぎ撮り編集で参照」され、また「データ位置情報」を含むものであるから、引用発明は、本願発明の「前記記憶手段に記憶されたビデオデータの誤り訂正処理の誤り訂正処理単位データ毎に」、「位置を示す情報を含む情報を、繋ぎ記録の開始可能点情報として、前記誤り訂正処理単位データのヘッダに登録する登録処理を実行する」「登録手段」に相当する構成を備えている。
（３）引用発明は、各データを磁気テープに記録するものであるから、本願発明の「前記誤り訂正処理が施された、前記ヘッダに前記前記繋ぎ記録の開始可能点情報が登録された前記ビデオデータを、磁気テープに記録する記録手段」に相当する構成を備えている。
（４）引用例の図３２，３３等を参照すると、ECCブロックの先頭にECCＴＢ（図中、Ｈ）を繰り返し配置するものが記載されており、引用発明は、本願発明の「前記登録手段は、前記記録媒体に記憶されているビデオデータを、前記誤り訂正処理単位データ毎に参照して、前記登録処理を繰り返し、前記誤り訂正処理単位データのヘッダに繋ぎ記録の開始可能点情報を登録する」に相当する構成を備えている。
（５）引用発明の「磁気テープ記録装置」は、本願発明の「記録装置」に相当する。
　
　そうすると、本願発明と引用発明とは、次の点で一致する。
　
＜一致点＞
「入力された１フレームの大きさが可変長であるビデオデータを、少なくとも所定数のフレームと前記フレームに関連する補助データからなる編集単位データ毎に記憶媒体に記憶する記憶手段と、
　前記記憶手段に記憶されたビデオデータの誤り訂正処理の誤り訂正処理単位データ毎に、その先頭の位置を示す情報を含む情報を、繋ぎ記録の開始可能点情報として、前記誤り訂正処理単位データのヘッダに登録する登録処理を実行する（第１の）登録手段と、
　前記誤り訂正処理が施された、前記ヘッダに前記繋ぎ記録の開始可能点情報が登録された前記ビデオデータを、磁気テープに記録する記録手段と
　を備え、
　前記（第１の）登録手段は、前記記憶媒体に記憶されているビデオデータを、前記誤り訂正処理単位データ毎に参照して、前記登録処理を繰り返し、前記誤り訂正処理単位データのヘッダに繋ぎ記録の開始可能点情報を登録する
　記録装置。」
　
　そして、次の点で相違する。
　
＜相違点＞
　「登録手段」について、本願発明は、「前記編集単位データの先頭が含まれているか否かを判定し、前記編集単位データの先頭が１個以上含まれていると判定した場合、」その先頭の位置を示す情報を含む情報を、繋ぎ記録の開始可能点情報とするとともに、「前記編集単位データの先頭が含まれていないと判定した場合」、繋ぎ記録の開始可能点が含まれていないことを示す情報を、繋ぎ記録の開始可能点情報として登録するのに対し、引用発明は、そのような特段の構成を有していない点。
　
４．判断
　
　そこで、上記相違点について検討する。
　
　本願明細書には、編集単位データの先頭が含まれているか否かを判定し、登録することについて「映像を繋ぐことができるのは、ＩピクチャまたはＰピクチャであり、パックの先頭には、AUXがまとめて配置されているので、ここでは、ECCバンクにＩピクチャまたはＰピクチャに対応するAUX−Ｖが含まれているか否かが判定される。」（段落【００３５】）と、ＩピクチャまたはＰピクチャに対応するAUX−Ｖが含まれている場合、「制御部１２は、ステップＳ１１で参照したECCバンクに、繋ぎ記録の開始点となり得るパックの先頭が含まれていることを、ECCバンクのECCＴＢに登録する。具体的には、AUX−Ｖが対応するピクチャ（ＩピクチャまたはＰピクチャ）を表すDATA−Ｈ、およびパックの先頭位置…が、図５に示すように、ECCＴＢのｅｄｉｔａｂｌｅ　ｈｅａｄｅｒ　ｍａｐに設定される。」（段落【００３７】）と、また、ECCバンクにＩピクチャまたはＰピクチャに対応するAUX−Ｖが含まれていないと判定された場合、「制御部１２は、ステップＳ１１で参照したECCバンクに、繋ぎ記録の開始点となり得るパックの先頭が含まれていないことを、ECCバンクのECCＴＢに登録する。具体的には、ECCバンクに、繋ぎ記録の開始点となり得るパックが含まれていない旨を表すDATA−Ｈが、ECCＴＢのｅｄｉｔａｂｌｅ　ｈｅａｄｅｒ　ｍａｐに設定される。」（段落【００４０】としている。
　一方、引用例の図２８には、繋ぎ撮り編集で参照する「ECCＴＢ」について、「DATA−Ｈ」及び「Position（TRK／SB）」を複数含む「EDIT HEADER MP」の例が記載されており、上記本願発明の実施態様と一致するものである。
　そうすると、引用発明において、繋ぎ撮り編集で参照されるAUXデータとしてのECCＴＢ（繋ぎ記録の開始可能点情報）の登録に際し、本願発明のように「前記編集単位データの先頭が含まれているか否かを判定し、前記編集単位データの先頭が１個以上含まれていると判定した場合」、その先頭の位置を示す情報を含む情報を、繋ぎ記録の開始可能点情報とするとともに、「前記編集単位データの先頭が含まれていないと判定した場合、繋ぎ記録の開始可能点が含まれていないことを示す情報」を、繋ぎ記録の開始可能点情報として登録することは、当業者が適宜になし得る程度のものである。
　
　そして、上記相違点を総合的に判断しても、本願発明が奏する効果は引用例から、当業者が十分に予測できたものであって格別なものとはいえない。
　
　したがって、本願発明は、引用例に記載された発明に基づいて当業者が容易に発明をすることができたものである。
５．むすび
　
　以上のとおりであるから、本願請求項１に係る発明は、特許法第２９条第２項の規定により特許を受けることができない。
　したがって、本願は、その余の請求項について論及するまでもなく、拒絶すべきものである。
　
　よって、結論のとおり審決する。